(57)【要約】  一つの検査に対して複数の読影レポートが必要な場合に対応する、読影レポートを生成するためのシステムを提供する。  レポート生成管理装置の制御部は、読影レポートデータオブジェクトを生成し、この読影レポートオブジェクトを記憶部のレポートＤＢに記憶させて管理する。読影レポートデータオブジェクトは、一検査分の読影レポートデータであり、複数の部分レポートデータオブジェクトを含む。即ち、制御部は、一検査に対して複数の読影レポートデータ（部分レポートデータオブジェクト）を生成し、この検査と複数の読影レポートデータとを関連付ける。
2010109999.tif 000002
【特許請求の範囲】
【請求項１】
読影レポート情報を記憶する記憶手段と、
一検査に対して複数の読影レポート情報を生成し、当該生成された複数の読影レポート情報を前記記憶手段に記憶させ、前記検査と前記生成された複数の読影レポート情報とを関連付けて管理する制御手段と、
を備えるレポート生成管理装置。
【請求項２】
前記制御手段は、前記検査における被写体の部位毎の医用画像の読影レポート情報を生成する、
請求の範囲第１項に記載のレポート生成管理装置。
【請求項３】
前記制御手段は、前記検査における被写体の側性毎の医用画像の読影レポート情報を生成する、
請求の範囲第１項に記載のレポート生成管理装置。
【請求項４】
前記検査とはマンモグラム検査であり、前記側性毎の医用画像とは右乳房画像と左乳房画像である、
請求の範囲第３項に記載のレポート生成管理装置。
【請求項５】
前記制御手段は、前記検査におけるシリーズ毎の医用画像の読影レポート情報を生成する、
請求の範囲第１項に記載のレポート生成管理装置。
【請求項６】
前記制御手段は、前記複数の読影レポート情報に基づいて、前記検査における統括的な読影レポート情報を生成する、
請求の範囲第１項〜第５項の何れか一項に記載のレポート生成管理装置。
【請求項７】
コンピュータを、
読影レポート情報を記憶する記憶手段、
一検査に対して複数の読影レポート情報を生成し、当該生成された複数の読影レポート情報を前記記憶手段に記憶させ、前記検査と前記生成された複数の読影レポート情報とを関連付けて管理する制御手段、
として機能させるためのプログラム。
【発明の詳細な説明】
【技術分野】
【０００１】
本発明は、レポート生成管理装置及びプログラムに関する。
【背景技術】
【０００２】
病院や診療所等の医療施設では、Ｘ線撮影装置等の医用画像撮影装置（モダリティ）を用いて患者の撮影が行われ、医用画像（医用画像データ）が生成される。読影医は、生成された医用画像をモニタに表示させ、この医用画像に対する読影レポートを生成する。【０００３】
読影レポートを生成するためのシステムとして、例えば、画像生成装置で生成された画像データに対して所定の画像解析を行い、追加撮影等の必要性およびその種類を客観的に判断する追加撮影判断部が組み込まれた画像品質検査用端末を含んだ医用画像処理システムが開示されている（特開２００６−５１１９８号公報参照）。【０００４】
このようなシステムにおいて生成される読影レポートは、一検査に一つ生成される。即ち、読影レポートと検査の関係は一対一となっている。
【先行技術文献】
【特許文献】
【０００５】
【特許文献１】特開２００６−５１１９８号公報
【発明の概要】
【発明が解決しようとする課題】
【０００６】
ところで、Ｘ線撮影装置の一つである乳房撮影装置を用いて患者の乳房を撮影するマンモグラム検査では、一検査で左乳房の医用画像と右乳房の医用画像とが生成される。この場合、右乳房に対する読影レポートと左乳房に対する読影レポートとを生成する必要がある。【０００７】
しかし、従来のシステムでは、一検査に一つの読影レポートが生成されるため、右乳房に対する読影レポートと左乳房に対する読影レポートとを一つの読影レポートとして生成していた。即ち、一つの検査に対して複数の判定（読影レポート）が必要な場合に対応することが困難であった。【０００８】
例えば、医師が、右乳房の読影レポートを閲覧したい場合、「右乳房」の読影レポートをダイレクトに検索することが困難であった。【０００９】
本発明は、上述したような課題に鑑みて為されたものであり、その目的とするところは、一つの検査に対して複数の読影レポートが必要な場合に対応する、読影レポートを生成するためのシステムを提供することである。
【課題を解決するための手段】
【００１０】
上記の課題を解決するために、請求の範囲第１項に記載のレポート生成管理装置は、
読影レポート情報を記憶する記憶手段と、
一検査に対して複数の読影レポート情報を生成し、当該生成された複数の読影レポート情報を前記記憶手段に記憶させ、前記検査と前記生成された複数の読影レポート情報とを関連付けて管理する制御手段と、
を備える。【００１１】
請求の範囲第２項に記載の発明は、請求の範囲第１項に記載の発明において、
前記制御手段は、前記検査における被写体の部位毎の医用画像の読影レポート情報を生成する。【００１２】
請求の範囲第３項に記載の発明は、請求の範囲第１項に記載の発明において、
前記制御手段は、前記検査における被写体の側性毎の医用画像の読影レポート情報を生成する。【００１３】
請求の範囲第４項に記載の発明は、請求の範囲第３項に記載の発明において、
前記検査とはマンモグラム検査であり、前記側性毎の医用画像とは右乳房画像と左乳房画像である。【００１４】
請求の範囲第５項に記載の発明は、請求の範囲第１項に記載の発明において、
前記制御手段は、前記検査におけるシリーズ毎の医用画像の読影レポート情報を生成する。【００１５】
請求の範囲第６項に記載の発明は、請求の範囲第１項〜第５項の何れか一項に記載の発明において、
前記制御手段は、前記複数の読影レポート情報に基づいて、前記検査における統括的な読影レポート情報を生成する。【００１６】
請求の範囲第７項に記載のプログラムは、
コンピュータを、
読影レポート情報を記憶する記憶手段、
一検査に対して複数の読影レポート情報を生成し、当該生成された複数の読影レポート情報を前記記憶手段に記憶させ、前記検査と前記生成された複数の読影レポート情報とを関連付けて管理する制御手段、
として機能させる。
【発明の効果】
【００１７】
請求の範囲第１項及び第７項に記載の発明によれば、制御手段は、一検査に対して複数の読影レポート情報を生成し、当該生成された複数の読影レポート情報を前記記憶手段に記憶させ、前記検査と前記生成された複数の読影レポート情報とを関連付けて管理する。【００１８】
そのため、一つの検査に対して複数の読影レポートが必要な場合に対応する、読影レポートを生成するためのシステムを提供することができる。【００１９】
請求の範囲第２項に記載の発明によれば、制御手段は、前記検査における被写体の部位毎の医用画像の読影レポート情報を生成する。そのため、一つの検査に対して複数の部位毎の読影レポートが必要な場合に対応することができる。【００２０】
請求の範囲第３項に記載の発明によれば、制御手段は、前記検査における被写体の側性毎の医用画像の読影レポート情報を生成する。そのため、一つの検査に対して複数の側性毎の読影レポートが必要な場合に対応することができる。【００２１】
請求の範囲第４項に記載の発明によれば、マンモグラム検査において、右乳房に対する読影レポートと左乳房に対する読影レポートとを生成する場合に対応することができる。【００２２】
請求の範囲第５項に記載の発明によれば、制御手段は、前記検査におけるシリーズ毎の医用画像の読影レポート情報を生成する。そのため、一つの検査に対して複数のシリーズ毎の読影レポートが必要な場合に対応することができる。【００２３】
請求の範囲第６項に記載の発明によれば、制御手段は、前記複数の読影レポート情報に基づいて、前記検査における統括的な読影レポート情報を生成する。そのため、一つの検査に対して複数の部位毎の読影レポートが必要な場合の利便性を向上させることができる。
【図面の簡単な説明】
【００２４】
【図１】放射線科システムのシステム構成の一例を示すシステム構成図である。
【図２】医用画像データオブジェクトのデータ構成図である。
【図３】画像ビューワ端末のブロック図である。
【図４】レポート生成管理装置のブロック図である。
【図５】マンモグラム検査における読影レポートと医用画像の関係を示すイメージ図である。
【図６】マンモグラム検査における読影レポートのデータモデル図である。
【図７】読影レポートデータオブジェクトのデータ構成図である。
【図８】レポート生成管理装置や画像ビューワ端末が行う具体的な動作を示すフローチャート図である。
【図９】レポート生成処理を示すフローチャート図である。
【図１０】レポート生成画面の画面例である。
【図１１】レポート生成画面の画面例である。
【図１２】ＣＴ検査における読影レポートと医用画像の関係を示すイメージ図である。
【図１３】ＣＴ検査における読影レポートのデータモデル図である。
【図１４】読影レポートデータオブジェクトのデータ構成図である。
【発明を実施するための形態】
【００２５】
以下、本発明のレポート生成管理装置を図１のレポート生成管理装置１０に適用した場合の実施形態について図１〜図１１を参照して説明する。
【００２６】
[放射線科システムのシステム構成]
先ず、レポート生成管理装置１０を有する放射線科システム１００の概要について図１を用いて説明する。
【００２７】
図１は、放射線科システム１００のシステム構成の一例を示すブロック図である。図１によれば、放射線科システム１００は、レポート生成管理装置１０と、モダリティ２０と、画像ビューワ端末３０と、ＰＡＣＳ４０と、から構成されている。上記の各装置はＬＡＮ（Local Area Network）等の通信ネットワークＮを介してデータ通信可能に接続されている。
【００２８】
モダリティ２０は、患者を撮影し、撮影画像（医用画像）の画像データ（実画像データ）を生成する医用撮影装置である。モダリティ２０としては、ＣＴ装置やＣＲ装置、ＭＲＩ装置、乳房撮影装置、超音波診断装置等、様々な種類の医用画像を撮影するモダリティが適用可能である。本実施の形態では、モダリティ２０を乳房撮影装置として説明する。以下、乳房撮影装置による検査をマンモグラム検査と称す。
【００２９】
モダリティ２０は、図示しないＲＩＳ（放射線情報システム）からオーダ情報を受信する。ＲＩＳとは、放射線科システム１００内の情報を統括的に管理するシステムである。オーダ情報とは、撮影や診断の検査オーダの内容を示すデータである。
【００３０】
モダリティ２０は、ＲＩＳから受信した検査オーダ情報に基づいて、生成した医用画像の実画像データに関する各種情報（患者情報、検査情報及びシリーズ情報等）を有する付帯情報を生成する。そして、モダリティ２０は、実画像データに付帯情報を付帯させ、ＤＩＣＯＭ規格に則った医用画像データを生成する。モダリティ２０は、生成した医用画像データをＰＡＣＳ４０に送信する。
【００３１】
図２に、医用画像１枚分に相当する医用画像データ（以下、医用画像データオブジェクトと称す）のデータ構成を示す。医用画像データオブジェクトは、前述の通り、医用画像１枚分に相当する実画像データと当該実画像データに関する付帯情報とから成る。付帯情報は、患者情報、検査情報及びシリーズ情報等を含む。
【００３２】
図１に戻り、ＰＡＣＳ４０は、モダリティ２０において生成された医用画像データを保存管理し、検索やデータ解析を行うデータベースシステムである。ＰＡＣＳ４０は、制御部や記憶部、通信部等を備えて構成され、モダリティ２０から受信した医用画像データに含まれる付帯情報に基づいて当該医用画像データを、例えば、リレーショナルデータベースに蓄積記憶していく。そして、ＰＡＣＳ４０は、読影医等の操作指示に応じて指定された患者ＩＤや検査ＩＤ等を検索キーとして医用画像データを検索し、画像ビューワ端末３０や図示しないイメージャに出力する。また、ＰＡＣＳ４０は、患者ＩＤや検査ＩＤ等の検索キーを含む医用画像データ取得要求を外部機器から受信すると、この取得要求に応じた医用画像データを検索して外部機器に提供（送信）する。
【００３３】
画像ビューワ端末３０は、医用画像データを表示するビューワ機能を有しており、読影医等の読影に供する端末である。画像ビューワ端末３０は、医用画像データ取得要求をＰＡＣＳ４０に送信し、ＰＡＣＳ４０から取得要求に応じた医用画像データを取得する。そして、画像ビューワ端末３０は、取得した医用画像データを表示する。また、画像ビューワ端末３０は、取得した医用画像データをレポート生成管理装置１０に送信する。
【００３４】
レポート生成管理装置１０は、医用画像データの読影レポートを生成するレポート生成機能と、生成した読影レポートを管理するレポート管理機能と、を有しており、読影医等による読影レポートの作成に供する端末である。レポート生成管理装置１０は、画像ビューワ端末３０から受信した医用画像データに基づいて、レポート添付画像を生成し、レポート生成画面を表示する。レポート生成管理装置１０は、読影医等の操作指示に基づいて、読影レポート（読影レポートデータ）を生成する。レポート生成管理装置１０は、生成した読影レポートを保存し管理する。
【００３５】
[画像ビューワ端末の機能的構成]
図３に、画像ビューワ端末３０の機能的構成を示す。
【００３６】
図３に示すように、画像ビューワ端末３０は、制御部３１、操作部３２、表示部３３、通信部３４、記憶部３５を備えて構成され、各部はバス３６により接続されている。
【００３７】
制御部３１は、ＣＰＵ（Central Processing Unit）、ＲＡＭ（Random Access Memory）等から構成され、画像ビューワ端末３０の各部の処理動作を統括的に制御する。具体的には、ＣＰＵは、操作部３２から入力される操作信号又は通信部３４により受信される指示信号に応じて、記憶部３５に記憶されている各種処理プログラムを読み出し、ＲＡＭ内に形成されたワークエリアに展開し、当該プログラムとの協働により各種処理を行う。
【００３８】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００３９】
表示部３３は、高精細のＬＣＤ（Liquid Crystal Display）により構成され、制御部３１から入力される表示データに基づいて各種画面を表示する。
【００４０】
通信部３４は、ＬＡＮ（Local Area Network）アダプタ、ルータ、ＴＡ（Terminal Adapter）等を備え、通信ネットワークＮを介して接続されたレポート生成管理装置１０、ＰＡＣＳ４０等の外部機器との間でデータの送受信を行う。
【００４１】
記憶部３５は、ハードディスク等から構成され、制御プログラム、当該プログラムの実行に必要なパラメータやファイル等を記憶している。
【００４２】
制御部３１は、通信部３４を介してレポート生成管理装置１０から画像表示命令を受信すると、この画像表示命令に基づいて医用画像データ取得要求を生成する。そして、制御部３１は、生成した医用画像データ取得要求を通信部３４を介してＰＡＣＳ４０に送信する。
【００４３】
制御部３１は、通信部３４を介してＰＡＣＳ４０から医用画像データ取得要求に応じた医用画像データを取得すると、この医用画像データをレポート生成管理装置１０に転送する。また、制御部３１は、取得した医用画像データに基づいて、表示部３３に医用画像や付帯情報を表示させる。
【００４４】
[レポート生成管理装置の機能的構成]
図４に、レポート生成管理装置１０の機能的構成を示す。
【００４５】
図４に示すように、レポート生成管理装置１０は、制御部１１、操作部１２、表示部１３、通信部１４、記憶部１５を備えて構成され、各部はバス１６により接続されている。
【００４６】
制御部１１は、ＣＰＵ、ＲＡＭ等から構成され、レポート生成管理装置１０の各部の処理動作を統括的に制御する。具体的には、ＣＰＵは、操作部１２から入力される操作信号又は通信部１４により受信される指示信号に応じて、記憶部１５に記憶されている各種処理プログラムを読み出し、ＲＡＭ内に形成されたワークエリアに展開し、当該プログラムとの協働により各種処理を行う。
【００４７】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００４８】
表示部１３は、ＬＣＤにより構成され、制御部１１から入力される表示データに基づいて各種画面を表示する。
【００４９】
通信部１４は、ＬＡＮアダプタ、ルータ、ＴＡ等を備え、通信ネットワークＮを介して接続された画像ビューワ端末３０等の外部機器との間でデータの送受信を行う。
【００５０】
記憶部１５は、ハードディスク等から構成され、制御プログラム、当該プログラムの実行に必要なパラメータやファイル等を記憶している。記憶部１５は、レポートＤＢ１５１を記憶する。レポートＤＢ１５１とは、読影レポートデータを記憶管理するデータベースである。
【００５１】
制御部１１は、通信部１４を介して画像ビューワ端末３０から医用画像データを取得すると、この医用画像データに基づいて、レポート添付画像を生成する。制御部１１は、このレポート添付画像を貼り付けたレポート生成画面を生成して表示部１３に表示させる。そして、制御部１１は、レポート生成処理を実行し、読影レポートデータを生成する。制御部１１は、生成した読影レポートデータを記憶部１５のレポートＤＢ１５１に記憶させて管理する。
【００５２】
図５に、マンモグラム検査における読影レポートと医用画像の関係を示すイメージ図を示す。図５に示すように、マンモグラム検査は、右乳房検査と左乳房検査とで構成される。
【００５３】
右乳房検査では、ＭＬＯ（外斜位方向）で撮影された医用画像（右乳房ＭＬＯ画像）と、ＣＣ（頭尾方向）で撮影された医用画像（右乳房ＣＣ画像）とがモダリティ２０において生成される。また、右乳房ＭＬＯ画像と右乳房ＣＣ画像の読影レポート（右乳房レポート）が生成される。この右乳房レポートは、部分レポートである。部分レポートについては後述する。
【００５４】
左乳房検査でも同様に、ＭＬＯ（内外斜位方向）で撮影された医用画像（左乳房ＭＬＯ画像）と、ＣＣ（頭尾方向）で撮影された医用画像（左乳房ＣＣ画像）とがモダリティ２０において生成される。また、左乳房ＭＬＯ画像と左乳房ＣＣ画像の読影レポート（左乳房レポート）が生成される。この左乳房レポートは、部分レポートである。このように、部分レポートは、被写体の右乳房、左乳房のような側性毎（左右毎）に生成される。
【００５５】
また、マンモグラム検査では、右乳房レポートと左乳房レポートとを総合判定した読影レポート（総合レポート）が生成される。
【００５６】
図６に、マンモグラム検査における読影レポート（読影レポートデータ）のデータモデル図を示す。レポートＤＢ１５１では、このデータモデルに従って、検査、読影レポート、医用画像等を関連付けている。図６に示すように、マンモグラム検査において、読影レポートは一検査毎に生成される。一検査分の読影レポートデータを読影レポートデータオブジェクトと称す。
【００５７】
前述のように、マンモグラム検査には、２つの部分検査が含まれる。具体的に、２つの部分検査とは、右乳房検査と左乳房検査である。各部分検査では、医用画像２枚分の医用画像データ、即ち、２つの医用画像データオブジェクトが生成される。具体的に、一つは、モダリティ２０においてＭＬＯで撮影された医用画像（右乳房ＭＬＯ画像、左乳房ＭＬＯ画像）に対応するデータ、もう一つは、ＣＣで撮影された医用画像（右乳房ＣＣ画像、左乳房ＣＣ画像）に対応するデータである。
【００５８】
一検査分の読影レポートには、２つの部分レポートと１つの総合レポートとが含まれる。部分レポートとは、部分検査における読影レポートである。即ち、一検査分の読影レポートには、右乳房検査における読影レポート（右乳房レポート）と左乳房検査における読影レポート（左乳房レポート）とが含まれる。総合レポートとは、各部分検査を総合判定した読影レポート（総合レポート）である。即ち、一検査分の読影レポートには、右乳房検査と左乳房検査とを総合判定した読影レポートが含まれる。１つの部分検査の部分レポートのデータを部分レポートデータオブジェクトと称す。また、１つの総合レポートのデータを総合レポートデータオブジェクトと称す。
【００５９】
図７に、レポートＤＢ１５１に記憶管理されている読影レポートデータオブジェクトのデータ構成図を示す。図７に示すように、読影レポートデータオブジェクトは、１つの総合レポートデータオブジェクトと、２つの部分レポートデータオブジェクトとを含む。また、部分レポートデータオブジェクトには、部分判定情報が含まれる。総合レポートデータオブジェクトには、総合判定情報が含まれる。レポートＤＢ１５１には、一又は複数の読影レポートデータオブジェクトが記憶される。
【００６０】
[レポート生成管理装置等の具体的な動作]
次に、レポート生成管理装置１０や画像ビューワ端末３０が行う具体的な動作について、図８を用いて説明する。
【００６１】
ユーザは、レポート生成管理装置１０の操作部１２に対して、読影レポート生成（読影作業）を行う検査を選択する操作を行う。制御部１１は、操作部１２からの操作信号に基づいて、読影レポート生成の対象となる検査を選択する（ステップＳ１）。
【００６２】
そして、制御部１１は、ステップＳ１において選択された検査の検査ＩＤや、この検査対象となった患者の患者ＩＤ等を含む画像表示命令を生成する。制御部１１は、生成した画像表示命令を画像ビューワ端末３０に通信部１４を介して送信する（ステップＳ２）。
【００６３】
画像ビューワ端末３０の制御部３１は、通信部３４を介してレポート生成管理装置１０から画像表示命令を受信（取得）すると、対象となる検査に対応する医用画像データをＰＡＣＳ４０から取得する（ステップＳ３）。具体的に、制御部３１は、取得した画像表示命令に含まれる患者ＩＤや検査ＩＤを検索キーとする。制御部３１は、この検索キーを含む医用画像データ取得要求を生成する。制御部３１は、生成した医用画像データ取得要求をＰＡＣＳ４０に通信部３４を介して送信する。そして、制御部３１は、ＰＡＣＳ４０から取得要求に応じた医用画像データを通信部３４を介して受信する。ここで、取得要求に応じた医用画像データとは、右乳房ＭＬＯ画像、右乳房ＣＣ画像、左乳房ＭＬＯ画像、左乳房ＣＣ画像に対応する４つの医用画像データオブジェクトである。
【００６４】
制御部３１は、ＰＡＣＳ４０から取得した医用画像データ（４つの医用画像データオブジェクト）をレポート生成管理装置１０に通信部３４を介して送信する（ステップＳ４）。
【００６５】
また、制御部３１は、ＰＡＣＳ４０から取得した医用画像データを表示部３３に表示させる（ステップＳ５）。具体的に、制御部３１は、高精細モニタに、右乳房ＭＬＯ画像、右乳房ＣＣ画像、左乳房ＭＬＯ画像、左乳房ＣＣ画像と、それぞれの画像に対応する付帯情報を表示させる。読影医は、高精細モニタに表示された画像を参照し、読影作業を行う。
【００６６】
一方、レポート生成管理装置１０の制御部１１は、通信部１４を介して、画像ビューワ端末３０から医用画像データを受信すると、この医用画像データに基づいて、レポート添付画像（レポート添付画像データ）を生成する（ステップＳ６）。具体的に、制御部１１は、レポートに添付するサイズに医用画像データを変更するサイズ変更処理等を加え、レポート生成画面１３１（図１０、図１１参照）への表示に適したレポート添付画像データを生成する。
【００６７】
そして、制御部１１は、レポート添付画像データが添付されたレポート生成画面１３１を表示部１３に表示させる（ステップＳ７）。
【００６８】
図１０、図１１にレポート生成画面１３１の画面例を示す。図１０は、病変レポートテンプレートｄ５、ｄ６を含むレポート生成画面１３１ａ、図１１は、病変レポートテンプレートｄ５、ｄ６を含まないレポート生成画面１３１ｂの画面例である。
【００６９】
図１０に示すように、レポート生成画面１３１ａは、総合判定表示領域Ｔ１、右乳房部分判定設定領域Ｔ２、左乳房部分判定設定領域Ｔ３、右乳房レポート記述領域Ｔ４、左乳房レポート記述領域Ｔ５等から構成される。また、右乳房レポート記述領域Ｔ４は、レポート添付画像ｄ１、ｄ２、病変レポートテンプレートｄ５を含む。左乳房レポート記述領域Ｔ５は、レポート添付画像ｄ３、ｄ４、病変レポートテンプレートｄ６を含む。
【００７０】
レポート添付画像ｄ１は、右乳房ＭＬＯ画像である。レポート添付画像ｄ２は、右乳房ＣＣ画像である。レポート添付画像ｄ３は、左乳房ＭＬＯ画像である。レポート添付画像ｄ４は、左乳房ＣＣ画像である。
【００７１】
右乳房レポート記述領域Ｔ４は、右乳房レポートを記述するための領域である。ユーザは、操作部１２を介して、この右乳房レポート記述領域Ｔ４に部分レポートを記述する。また、病変レポートテンプレートｄ５において、ユーザは、テンプレートに従って部分レポートを作成することができる。
【００７２】
右乳房部分判定設定領域Ｔ２は、右乳房レポートの部分判定を行うための領域である。ユーザは、操作部１２を介して、右乳房部分判定設定領域Ｔ２にあるカテゴリ１〜５等のボタンを選択し、右乳房レポートの部分判定を行う。ここで、異常所見がない場合、カテゴリ１が選択される。明らかに良性と診断できる所見がある場合、カテゴリ２が選択される。良性であるが、悪性を否定できない所見がある場合、カテゴリ３が選択される。悪性が疑われる所見がある場合、カテゴリ４が選択される。悪性の所見がある場合、カテゴリ５が選択される。即ち、カテゴリ１からカテゴリ５になるに連れて、悪い診断結果となる。
【００７３】
左乳房レポート記述領域Ｔ５は、左乳房レポートを記述するための領域である。ユーザは、操作部１２を介して、この左乳房レポート記述領域Ｔ５に部分レポートを記述する。また、病変レポートテンプレートｄ６において、ユーザは、テンプレートに従って部分レポートを作成することができる。
【００７４】
左乳房部分判定設定領域Ｔ３は、左乳房レポートの部分判定を行うための領域である。ユーザは、操作部１２を介して、左乳房部分判定設定領域Ｔ３にあるカテゴリ１〜５等のボタンを選択し、左乳房レポートの部分判定を行う。
【００７５】
総合判定表示領域Ｔ１は、各部分検査を総合判定した総合レポートの情報を表示するための領域である。
【００７６】
図１１に示すように、レポート生成画面１３１ｂは、総合判定表示領域Ｔ１、右乳房部分判定設定領域Ｔ２、左乳房部分判定設定領域Ｔ３、右乳房レポート記述領域Ｔ４、左乳房レポート記述領域Ｔ５等から構成される。また、右乳房レポート記述領域Ｔ４は、レポート添付画像ｄ１、ｄ２を含む。左乳房レポート記述領域Ｔ５は、レポート添付画像ｄ３、ｄ４を含む。
【００７７】
図８に戻り、制御部１１は、レポート生成処理を行う（ステップＳ８）。レポート生成処理とは、レポート生成画面１３１におけるユーザ操作による操作部１２からの操作信号等に基づいて、読影レポート（読影レポートデータオブジェクト）を生成する処理である。ここで、生成される読影レポートデータオブジェクトは、ステップＳ１において選択された検査に対応するデータである。レポート生成処理については、後述する。
【００７８】
そして、制御部１１は、ステップＳ８のレポート生成処理において生成された読影レポートデータオブジェクトを記憶部１５のレポートＤＢ１５１に記憶させる（保存する）（ステップＳ９）。以上で、処理が終了する。
【００７９】
[レポート生成処理]
次に、レポート生成処理（図８のステップＳ８）の具体的な処理内容について、図９を用いて説明する。
【００８０】
ユーザは、操作部１２を介して、レポート生成画面１３１の右乳房レポート記述領域Ｔ４において、部分レポート（左乳房レポート）を記述する。また、ユーザは、操作部１２を介して、右乳房部分判定設定領域Ｔ２において、カテゴリ１〜５の何れかを選択する。
【００８１】
レポート生成管理装置１０の制御部１１は、操作部１２からの操作信号に基づいて、部分判定（部分判定情報）を含む左乳房レポート（部分レポートデータオブジェクト）を生成する（ステップＳ１０１）。部分判定情報には、右乳房部分判定設定領域Ｔ２において選択されたカテゴリ１〜５の何れかの値が設定される。また、生成された部分レポートオブジェクトには、右乳房レポート記述領域Ｔ４において記述された部分レポートが、部分レポートの実データとして記憶される。
【００８２】
また、ユーザは、操作部１２を介して、左乳房レポート記述領域Ｔ５において、部分レポート（右乳房レポート）を記述する。また、ユーザは、操作部１２を介して、左乳房部分判定設定領域Ｔ３において、カテゴリ１〜５の何れかを選択する。
【００８３】
制御部１１は、操作部１２からの操作信号に基づいて、部分判定（部分判定情報）を含む左乳房レポート（部分レポートデータオブジェクト）を生成する（ステップＳ１０２）。部分判定情報には、左乳房部分判定設定領域Ｔ３において選択されたカテゴリ１〜５の何れかの値が設定される。また、生成された部分レポートオブジェクトには、左乳房レポート記述領域Ｔ５において記述された部分レポートが、部分レポートの実データとして記憶される。
【００８４】
次に、制御部１１は、右乳房レポートの部分判定と、左乳房レポートの部分判定とを比較し、総合判定の情報（総合判定情報）を生成する（ステップＳ１０３）。具体的に、制御部１１は、右乳房の部分レポートデータオブジェクトに含まれる部分判定情報の値と、左乳房の部分レポートデータオブジェクトに含まれる部分判定情報の値（カテゴリ１〜５）を比較する。そして、制御部１１は、カテゴリの値の高い方を総合判定情報の値とする。例えば、制御部１１は、右乳房の部分判定情報がカテゴリ１、左乳房の部分判定情報がカテゴリ４のとき、総合判定情報をカテゴリ４とする。
【００８５】
そして、制御部１１は、総合判定（総合判定情報）を含む総合レポート（総合レポートデータオブジェクト）を生成する（ステップＳ１０４）。また、制御部１１は、総合判定情報の値を、総合判定表示領域Ｔ１に反映させる。具体的に、制御部１１は、総合判定情報がカテゴリ４の場合、総合判定表示領域Ｔ１に「総合判定：カテゴリ４」と表示させる。以上で処理が終了する。
【００８６】
以上、本実施形態によれば、レポート生成管理装置１０の制御部１１は、読影レポートデータオブジェクトを生成し、この読影レポートオブジェクトを記憶部１５のレポートＤＢ１５１に記憶させて管理する。読影レポートデータオブジェクトは、一検査（マンモグラム検査）分の読影レポートデータであり、左乳房に対する読影レポートに対応する部分レポートデータオブジェクトと、右乳房に対する読影レポートに対応する部分レポートデータオブジェクトとを含む。即ち、制御部１１は、一検査（マンモグラム検査）に対して右乳房と左乳房の読影レポートデータ（部分レポートデータオブジェクト）を生成し、このマンモグラム検査と２つの読影レポートデータとを関連付ける。
【００８７】
そのため、読影医等のユーザは、放射線科システム１００にレポート生成管理装置１０を用いることにより、この放射線科システム１００を、一検査に対して２つの判定（読影レポート）が必要なマンモグラム検査に対応させることができる。
【００８８】
また、制御部１１は、右乳房と左乳房の読影レポート（部分レポートデータオブジェクト）に含まれる部分判定情報を参照して、マンモグラム検査の統括的な読影レポート（総合レポートデータオブジェクト）に含まれる総合判定情報を生成する。
【００８９】
そのため、読影医等のユーザは、総合判定情報をレポート生成画面１３１上で手入力する必要が無く、一検査に対して２つの判定（読影レポート）が必要な場合の利便性が向上する。
【００９０】
尚、本実施形態における記述は、本発明に係るレポート生成管理装置の一例であり、これに限定されるものではない。システム及び各装置の細部構成及び細部動作に関しても適宜変更可能である。
【００９１】
例えば、本実施形態において、画像ビューワ端末３０とＰＡＣＳ４０とは別の装置であるが、これらを統合して一つの装置としてもよい。また、本実施形態において、レポート生成管理装置１０と画像ビューワ端末３０とは別の装置であるが、これらを統合して一つの装置としてもよい。
【００９２】
また、本実施形態では、プログラムを格納したコンピュータ読み取り可能な媒体としてハードディスクを使用した例を開示したが、この例に限定されない。その他のコンピュータ読み取り可能な媒体として、ＣＤ−ＲＯＭ等の可搬型記憶媒体、フラッシュメモリ等の不揮発性メモリ等を適用することが可能である。また、プログラムのデータを通信回線を介して提供する媒体として、キャリアウェーブ（搬送波）も適用可能である。
【００９３】
[変形例]
次に、本発明のレポート生成管理装置を図１のレポート生成管理装置１０に適用した場合の実施形態の変形例について、図１２〜図１４を参照して説明する。本説明では、上述した実施形態と異なる点を中心に説明する。
【００９４】
上述した実施形態では、モダリティ２０を乳房撮影装置として説明した。しかし、本変形例では、モダリティ２０をＣＴ装置として説明する。以下、ＣＴ装置による検査をＣＴ検査と称す。なお、このＣＴ検査では、被写体の頭部から腹部まで一度の検査で撮影した場合を想定している。
【００９５】
図１２に、ＣＴ検査における読影レポートと医用画像の関係を示すイメージ図を示す。図１２に示すように、ＣＴ検査は、頭部検査と胸部検査と腹部検査とで構成されている。これらの検査は、モダリティ２０において、撮影技師等のユーザ操作によりＣＴ検査内で内部分割される。
【００９６】
ＣＴ検査では、複数枚の断層画像がモダリティ２０において生成される。そして、撮影技師等のユーザ操作により、頭部検査に対応する頭部断層画像群、胸部検査に対応する胸部断層画像群、腹部検査に対応する腹部断層画像群に分割される。具体的に、１０００枚の断層画像がモダリティ２０において生成されたとする。ユーザは、１枚目から２００枚目の断層画像を頭部断層画像、２０１枚目から６００枚目の断層画像を胸部断層画像、６０１枚目から１０００枚目の断層画像を腹部断層画像とするユーザ操作をモダリティ２０に対して行う。モダリティ２０は、このユーザ操作に基づいて、１０００枚の断層画像を頭部断層画像群、胸部断層画像群、腹部断層画像群に分割する。モダリティ２０は、分割された断層画像群に応じて、ＣＴ検査を頭部検査、胸部検査、腹部検査に内部分割する。
【００９７】
また、頭部検査では、頭部断層画像群の読影レポート（頭部レポート）が生成される。胸部検査では、胸部断層画像群の読影レポート（胸部レポート）が生成される。腹部検査では、腹部断層画像群の読影レポート（腹部レポート）が生成される。頭部レポート、胸部レポート、腹部レポートは、部分レポートである。
【００９８】
また、ＣＴ検査では、頭部レポートと胸部レポートと腹部レポートとを総合判定したレポート（総合レポート）が生成される。
【００９９】
図１３に、ＣＴ検査における読影レポート（読影レポートデータ）のデータモデル図を示す。レポートＤＢ１５１では、このデータモデルに従って、検査、読影レポート、医用画像等を関連付けている。図１３に示すように、ＣＴ検査において、読影レポートは一検査（ＣＴ検査）毎に生成される。
【０１００】
ＣＴ検査には、複数の部分検査が含まれる。本変形例では、頭部検査、胸部検査、腹部検査の３つの部分検査が含まれるとしたが、４つ、５つ等、部分検査の数は３つに限定されない。各部分検査では、医用画像複数枚分の医用画像データ、即ち、複数の医用画像データオブジェクトが生成される。
【０１０１】
一検査分の読影レポートには、複数の部分レポートと１つの総合レポートとが含まれる。
【０１０２】
図１４に、レポートＤＢ１５１に記憶管理されている読影レポートデータオブジェクトのデータ構成図を示す。図１４に示すように、読影レポートデータオブジェクトは、１つの総合レポートデータオブジェクトと、複数の部分レポートデータオブジェクトとを含む。また、部分レポートデータオブジェクトには、部分判定情報が含まれる。総合レポートデータオブジェクトには、総合判定情報が含まれる。レポートＤＢ１５１には、一又は複数の読影レポートデータオブジェクトが記憶される。
【０１０３】
以上、本実施形態の変形例によれば、レポート生成管理装置１０の制御部１１は、読影レポートデータオブジェクトを生成し、この読影レポートオブジェクトを記憶部１５のレポートＤＢ１５１に記憶させて管理する。読影レポートデータオブジェクトは、一検査分の読影レポートデータであり、複数の部分レポートデータオブジェクトを含む。即ち、制御部１１は、一検査に対して複数の読影レポートデータ（部分レポートデータオブジェクト）を生成し、この検査と複数の読影レポートデータとを関連付ける。
【０１０４】
そのため、読影医等のユーザは、放射線科システム１００にレポート生成管理装置１０を用いることにより、この放射線科システム１００を、一検査に対して複数の判定（読影レポート）が必要な検査に対応させることができる。
【０１０５】
また、制御部１１は、複数の読影レポート（部分レポートデータオブジェクト）に含まれる部分判定情報を参照して、検査の統括的な読影レポート（総合レポートデータオブジェクト）に含まれる総合判定情報を生成する。
【０１０６】
そのため、読影医等のユーザは、総合判定情報をレポート生成画面上で手入力する必要が無く、一検査に対して複数の判定（読影レポート）が必要な場合の利便性が向上する。
【０１０７】
尚、本変形例では、レポート生成管理装置１０の制御部１１は、医用画像の部位毎に部分レポートを生成するとした。しかし、制御部１１は、医用画像のシリーズ毎に部分レポートを生成するとしてもよい。
【０１０８】
具体的に、制御部１１は、通信部１４を介してＰＡＣＳ４０から取得した医用画像データの付帯情報に含まれるシリーズ情報を参照する。そして、制御部１１は、このシリーズ情報に基づいて、医用画像データオブジェクトをシリーズ毎に振り分ける。そして、制御部１１は、シリーズ毎に部分レポートデータオブジェクトを生成する。
【産業上の利用可能性】
【０１０９】
医療の分野において利用することが可能であり、放射線科システムにおけるレポート生成管理装置に適用することができる。
【符号の説明】
【０１１０】
１０      レポート生成管理装置
１１      制御部
１２      操作部
１３      表示部
１４      通信部
１５      記憶部
１６      バス
２０      モダリティ
３０      画像ビューワ端末
３１      制御部
３２      操作部
３３      表示部
３４      通信部
３５      記憶部
３６      バス
４０      ＰＡＣＳ
１００    放射線科システム
１３１    レポート生成画面
Ｎ        通信ネットワーク
Ｔ１      総合判定表示領域
Ｔ２      右乳房部分判定設定領域
Ｔ３      左乳房部分判定設定領域
Ｔ４      右乳房レポート記述領域
Ｔ５      左乳房レポート記述領域
【図１】
2010109999.tif 000003
【図２】
2010109999.tif 000004
【図３】
2010109999.tif 000005
【図４】
2010109999.tif 000006
【図５】
2010109999.tif 000007
【図６】
2010109999.tif 000008
【図７】
2010109999.tif 000009
【図８】
2010109999.tif 000010
【図９】
2010109999.tif 000011
【図１０】
2010109999.tif 000012
【図１１】
2010109999.tif 000013
【図１２】
2010109999.tif 000014
【図１３】
2010109999.tif 000015
【図１４】
2010109999.tif 000016
【国際調査報告】
2010109999.tif 000017
2010109999.tif 000018
2010109999.tif 000019
2010109999.tif 000020